(57)【要約】【課題】  歩くという行為に伴って、直接足部から刺激を取り入れる履物として草履があげられるものの、足指から刺激を得るものはない。【解決手段】  健康履物として草鞋の形態を取り底部最前縁に、足指間に入る４本の鼻緒をもうけた草鞋状の健康履物とすると足指先と足裏から刺激を受けることができ、草鞋状の健康履物と足裏の相対関係が安定し、所望の部位に刺激が与えやすい。  草鞋の本来の構造には凹凸を有する上、素材の選択により高い刺激付与が可能であるが、さらに、草鞋状の健康履物底部の所望の部位に直方体、球体、楕円体、樽状体、円柱体、円錐体又はこれらの一部の形状を持つ突起を結いつける或いは縫いつけた草鞋状の健康履物底部とする。【選択図】図１６
2007236891.tif 000002
【特許請求の範囲】
【請求項１】
第１の紐状体と第１の細長い裁断片を用いて編み上げた草鞋状の健康履物の底部最前縁に、足の各指間にそれぞれ挟まれる４本の鼻緒をもうけた草鞋状の健康履物。
【請求項２】
第２の細長い裁断片からなる４本の鼻緒を予め取り付けた鼻緒部の鼻緒を請求項１の底部最前縁に順次結びつけ、鼻緒部の両端部は請求項１の底部の左右側縁に結びつける草鞋状の健康履物の製造法
【請求項３】
請求項１の底部最前縁に第２の細長い裁断片からなる鼻緒を４カ所に予め結びつけておき、鼻緒部の両端部を請求項１の底部の左右側縁に結びつけ、鼻緒を順次鼻緒部に結びつける草鞋状の健康履物の製造法
【請求項４】
請求項１の草鞋状の健康履物底部上で刺激を与えたい部位に、単一或いは複数の直方体、球体、楕円体、樽状体、円柱体、円垂体又はこれらの一部の形状を持つ突起物を結わい付け或いは縫いつけた草鞋状の健康履物。
【請求項５】
請求項１から請求項３の第１及び第２の細長い裁断片は、天然繊維、合成繊維、合成樹脂皮膜材、金属細線或いは帯状金属材料からなる特定の感触を与えるか与えない素材で色彩や模様を有する単一或いは複合して裁断或いはよりあわせてなる第１及び第２の細長い裁断片。
【請求項６】
草鞋状の健康履物の底部や鼻緒は全体或いは部位に応じて、請求項５の第１の細長い裁断片の素材の内から選択し適用する請求項１から請求項３の草鞋状の健康履物。
【請求項７】
請求項１から請求項３の草鞋状の健康履物底部から前部に突出している足指を建具や物体とのぶつかりで生じる傷や打撲を避けることができる寸法分長くした第２の草鞋状の健康履物の底部や第２の草鞋状の健康履物の底部と同様な形状をした平板状の底部とを縫合あるいは接着した重ね底部を有する草鞋状の健康履物。
【請求項８】
請求項１の草鞋状の健康履物底部の製作過程で用いる保持具は、４本の第１の紐状体を挟み込み保持し、着脱ができ、第１の紐状体の保持孔径が中央部分で狭く外側に向かって広くなる孔構造をもつ保持具。
【発明の詳細な説明】
【技術分野】
【０００１】  本は発明は、室内での日常生活時に着用する草鞋状の履物であって、複数の足指間に鼻緒をもうけることで、歩行時に足指と足裏のつぼに刺激を与え、足裏と草鞋の相対関係を一定に保ち、併せて指間を清潔に保つことが可能な４本の鼻緒を持つ草鞋状の健康履物とその製造方法及び製造用の保持具に関する。
【背景技術】
【０００２】  特許文献１の第１図及び特許文献２の第２図は、草履に複数の鼻緒を有する事例であり、特許文献３の第４図は、趾保持輪を有する事例であるが、いずれも鼻緒あるいは趾保持輪は底部の最前縁に取り付けていない。特許文献４の第１図は、草鞋の最前縁に鼻緒状のものがついている事例であるが、足指間に挟み込み使用する構造をもたない。このように複数の足指間に鼻緒をもうけた履物はいくつかあるが、鼻緒の取り付け位置が履物の最前縁に複数設け、歩行により足指や足裏に刺激を与える草鞋状の履物の事例はない。【０００３】  特開平９−１１９１０７の表１、図１及び図２によると、足指の他いくつものつぼが示されている。特許文献５の第３図及び第４図の履物は履物上の限られた部位の中から特定の指定部位を固定的に選択できる刺激をあたえることが可能な履物であることを例示するが、足指先端を含め足裏の任意の部位に刺激を与える草鞋の事例ではない。【０００４】
【特許文献１】特開平９−３７８０３
【特許文献２】実公昭１８−１２１６７
【特許文献３】実開昭５８−１８７３０８
【特許文献４】実公昭１１−１１８５
【特許文献５】実開昭４８−９５８３７
【発明の開示】
【発明が解決しようとする課題】
【０００５】  歩くという行為に伴って、足裏に刺激を与え、頭脳や臓器の活性化に役立てる健康履物は多くあるが、足の指先と足裏のいずれにも刺激を与えることは適えられなかった。
【課題を解決するための手段】
【０００６】  歩行により足裏に刺激を与え、併せて足の指先に刺激を与えるために、本質的に凹凸を持つ草鞋状の健康履物の最前部に鼻緒を取り付けることで足指がせり出し、せり出した足指は接地面に接することで足指の先端からと足裏から刺激をえることになるため第１の紐状体と第１の細長い裁断片を用いて編み上げた草鞋状の健康履物の底部前縁に、足の各指間にそれぞれ挟まれる４本の鼻緒をもうけた草鞋状の健康履物とする。【０００７】    鼻緒を全ての足指間に設けることは、足指の先端を接地面に安定に接することを可能とすると共に、足裏と草鞋状の健康履物底部の接する位置関係を一定に保持することとなり、刺激を大きくする突起と足裏の位置関係を安定にすることになるが、このため第２の細長い裁断片からなる４本の鼻緒を予め取り付けた鼻緒部の鼻緒を草鞋状の健康履物の底部前縁に結びつけ、鼻緒部の両端部は草鞋状の健康履物の底部の左右側縁に結びつけて草鞋状の健康履物を作り上げる。【０００８】  また、第２の製造法として、草鞋状の健康履物の底部前縁に第２の細長い裁断片からなる鼻緒を４カ所に予め結びつけておき、鼻緒部の両端部を草鞋状の健康履物の底部の左右側縁に結びつけ、鼻緒を順次鼻緒部に結びつけて草鞋状の健康履物を作り上げる。【０００９】  草鞋状の健康履物が本来持つ凹凸で得られる刺激を更に強くしたいときは、草鞋状の健康履物底部上で刺激を与えたい部位に、単一或いは複数の直方体、球体、楕円体、樽状体、円柱体、円垂体又はこれらの一部の形状を持つ突起物を草鞋状の健康履物底部に結わい付け或いは縫いつけた草鞋状の健康履物とする。【００１０】  草鞋状の健康履物は複数の素材を用いて編み上げることが可能なため、その素材は本来持つ刺激や仕上がったときの配色やデザインを考慮して、第１及び第２の細長い裁断片は、天然繊維、合成繊維、合成樹脂皮膜材、金属細線或いは帯状金属材料からなる特定の感触を与えるか与えない素材で色彩や模様を有する単一或いは複合して裁断或いはよりあわせてなる第１及び第２の細長い裁断片を用いる。【００１１】  草鞋状の健康履物の底部や鼻緒は全体或いは部位に応じて、上述の第１及び第２の細長い裁断片の素材の内から選択し適用して編み上げる或いは鼻緒を結びつける草鞋状の健康履物とする。【００１２】  上述の草鞋状の健康履物は指先から刺激を得るため、草鞋状の健康履物底部から前部に突出しているため足指は建具や物体とのぶつかる可能性があり、ぶつかりで生じる傷や打撲を避けることを目的に、建具や物体とのぶつかりで生じる傷や打撲を避けることができる寸法分長くした第２の草鞋状の健康履物の底部や第２の草鞋状の健康履物の底部と同様な形状をした平板状の底部とを縫合あるいは接着した重ね底部を有する草鞋状の健康履物となす。【００１３】  草鞋状の健康履物挟み込み底部の製作過程で用いる保持具は、指による第１の細長い裁断片を掻き上げに代えるもので、４本の第１の紐状体を保持し、着脱ができ、この保持具を操作しないときは第１の紐状体のどこかの部位に留めておけるよう第１の紐状体の保持孔径が中央部分で狭く外側に向かって広くなる孔構造をもつ保持具とする。
【発明の効果】
【００１４】  健康履物として草鞋の形態を取ると草鞋状の健康履物底部が本質的に凹凸構造を持っているため、編み込む素材を全面或いは一部で選択することで、足裏面の部分に刺激を与えることが可能であるばかりでなく、鼻緒を草鞋状の健康履物底部の最前縁に複数特設することで足指には接地面からの刺激を得ることができる。【００１５】  鼻緒を草鞋状の健康履物底部の最前縁に複数特設することで、草鞋状の健康履物底部と足裏との相対関係を安定させ、草鞋状の健康履物底部上で刺激を与えたい部位に、単一或いは複数の直方体、球体、楕円体、樽状体、円柱体、円垂体又はこれらの一部の形状を持つ突起を結わい付け或いは縫いつけた草鞋状の健康履物から得られる刺激を受ける部位を安定させることができる。【００１６】  鼻緒を草鞋状の健康履物の底部最前縁から足指を突出させることは歩行中建屋や物体にぶつかりにより、指先に傷や打撲を受け危険であるため、底部を重ねて下側の底部を足指保護可能な寸法分前方にせり出す配慮で足指の保護がはかれる。【００１７】  健康履物として草鞋の形態を取ることで、草鞋や鼻緒のサイズや形状が自由に設定することができ、柔軟に個人対応できる。【００１８】  健康履物として草鞋の形態を取り、人手で編み上げる過程で第１の細長い裁断片を寄せ底部の形を整える必要があるが指では力が均等でないため均一に整えにくいが、保持具を用いることで強く均等に力が作用するため底部の成形が容易となる。【００１９】  草鞋状の健康履物底部を成型するとき、保持器を万力で固定すると左右の縦糸を個々に強く引くことができ編み始め部分の成形が容易に、且つ素早く行える。
【実施例１】
【００２０】  以下、本発明の実施例１を図１、図２、図４及び図５に基づき説明する。【００２１】  健康履物として草鞋の形態をとるので、図１ａのように第１の紐状体（１）を環状に結び、更に第１の細長い裁断片（２）を第１の紐状体（１）の手元で結び、つぎに図１ｂのように両足親指と左右の手で、第１の紐状体（１）を４本の縦糸状となるよう整える。【００２２】  図１ｃのように、第１の細長い裁断片（２）を第１の紐状体（１）の上、下と交互にくぐらせ１段ごとにて編み上げ、数段編み上げる都度、図１ｄのように第１の細長い裁断片（２）を編み始め方向にかき寄せて形を整えながら草鞋状の健康履物底部（３）を編み上げる。【００２３】  第１の細長い裁断片（２）の素材がとぎれ、新に継ぎたすときは図１ｅに示すように前々段の段階で継ぎたす第１の細長い裁断片（２ａ）は、編み込む第１の細長い裁断片（２）の下に入るようあらかじめ配置しておく。また、逆に新しい継ぎたす第１の細長い裁断片継ぎたす第１の細長い裁断片（２ａ）に引き継いだ第１の細長い裁断片（２）の残りは、図１ｈに例示する引き込み具を用いてすでに編み上げた第１の細長い裁断片（２）の下に入るよう端末処理する。【００２４】  所定の長さの草鞋状の健康履物底部（３）を編み上げたときには、図１ｂ右側の手（Ｒ）で支えている部分を図１ｆのように手前に強く引く。【００２５】  第１の紐状体（１）が草鞋状の健康履き物底部（３）に引き込まれる直前に編み上げた最後の第１の細長い裁断片（２）の端部を引き込まれる直前の第１の紐状体（１）に数回絡めて第１の紐状体（１）を草鞋状の健康履物底部に引き込む。【００２６】  手前に引き抜かれた第１の紐状体の残部（１ａ）は、図１ｇのように折り返えし織り上げた草鞋状の健康履物底部（３）の接地面に図１ｈに例示する引き込み具を用いて引き込む或いは縫いつける端部処理を行う。【００２７】  鼻緒部（４）は、図２ａのような第２の細長い裁断片からなる鼻緒（５）を４本準備し、鼻緒の本体部（６）に結わえる。【００２８】  鼻緒（５）は、図２ｂのように足裏型紙図１４に従い定めた４カ所に開けた空隙（７）の相互位置により、鼻緒本体上で鼻緒の取り付け位置を微調整し、上記の空隙（７）を介して草鞋状の健康履物底部（３）の最前縁部で第１の紐状体を周回させるように結びつける。【００２９】  鼻緒部の両端部は草鞋状の健康履物底部の両側部に結びつけ、端部処理を草鞋状の健康履物底部接地面で図２ｅに従い行い、図４及び図５の草鞋状の健康履物を作り上げる。
【実施例２】
【００３０】  以下、本発明の実施例２を図３及び図４に基づき説明する。【００３１】  鼻緒（５）は、底部上で図３ａのように足裏型紙に従い定めた４カ所に開いた空隙（７）を介して草鞋状の健康履物底部（３）の最前縁部の第１の紐状体を周回するように結びつけ、４カ所取り付ける。【００３２】  鼻緒部の両端部を草鞋状の健康履物底部の両側部に結びつけ、端部処理を草鞋状の健康履物底部接地面で図２ｅに従い行う。【００３３】  図３ａのように草鞋状の健康履物底部に取り付けた鼻緒（５）を直上の鼻緒本体部位置に取り付け、順次４本全てに行い、図４及び図５の草鞋状の健康履物を作り上げる。なお、このとき図３ｂに例示する高さ調整具（８）を併用して高さを規制する。
【実施例３】
【００３４】  以下、本発明の実施例３を図６に基づき説明する。【００３５】  草鞋状の健康履物は、第１の細長い裁断片（２）を編み込むために草鞋状の健康履物底部には本質的に凹凸をもち、第１の細長い裁断片（２）の素材を選ぶことで足裏に刺激をもたらす。しかし、積極的に刺激を与えるために、所望の部位に単一又は複数の直方体、球体、楕円体、樽状体、円柱体、円錐体又はこれらの一部の形状を持つ突起（７）を結わい付け或いは縫いつけ図６ように草鞋状の健康履物には凸部を作る。
【実施例４】
【００３６】  以下、本発明の実施例４を図７に基づき説明する。【００３７】  実施例１での図１ｅの例のように第１の細長い裁断片（２）で素材をつぎたすことの例にならい、第１の細長い裁断片（２）を目的に適合する素材を代え、継ぎたす別素材の第１の細長い裁断片（２ｂ）とすることで、図７のように足裏への刺激を変える部位を設ける。
【実施例５】
【００３８】  以下、本発明の実施例５を図５、図８に基づき説明する。【００３９】  実施例４で本発明の実施例を示すが、図５から明らかなように、草鞋状の健康履物の前方に足指がある。このため歩行の際、足指は建具や物体とのぶつかる可能性があり、実施例１で作る草鞋状の健康履物底部の前方を指先が保護可能な第２の草鞋状の健康履物底部や同様な形状の平板と縫合或いは接着し、図８に示すような底部を重ねることで、足指先や足裏からの刺激や感触は変わらず危険を回避できる草鞋状の健康履物とすることができる。
【実施例６】
【００４０】  以下、本発明の実施例６を図９、図１０に基づき説明する。【００３８】  実施例６で本発明の実施例を示すが、実施例１は図１ｄのように編み上げた草鞋状の健康履物の第１細い裁断片（２）を掻き寄せるのは手の指によることを想定している。しかし、指の力は均一ではないため全体を整えるには、各指間の違いの手直しが必要となり、この手直しを軽減すべく図１０の保持具を用いる。【００３９】  保持具（９）は、第１の紐状体（１）を適切に保持すると共に、第１の紐状体（１）の上を滑らし数段編み上げた都度第１の細長い裁断片（２）を掻き寄せる操作を容易に行うために第１の紐状体（１）の太さの変化に適合する構造をとる。【００４０】  保持具（９）の取り付けは、ねじ部（１１）をゆるめ、保持具（９）の長さ方向に押し出すことで、保持具は弾性体からなる蝶番（１２）で開くので、第１の紐状体（１）を挟み込みねじ部（１１）で着脱でき、容易にずれないよう締め付け適用することを可能とする。【００４１】  第１の紐状体（１）は、保持具（９）を移動させる際の保持具の前後の太さＤ１とＤ３（Ｄ１＞Ｄ３）、保持具を移動させないときの太さＤ２と、３種類の太さの状態Ｄ１＞Ｄ２＞Ｄ３があるが、第１の細長い裁断片（２）を編んでいる最中に保持具がずれるのであれば具合がわるいので、Ｄ２の状態でずれないようねじ部（１１）で固定する。【００４２】    第１の細長い裁断片（２）を掻き寄せるときは、Ｄ１を保持具に取り込みＤ３の太さをはき出す。ねじ部（１１）にはバネ機構があり、またねじ部（１１）の反対側は弾性体からなる蝶番（１２）が取り付けられているので、力が作用するとねじ部（１１）と弾性体からなる蝶番（１２）が保持具の孔径を広げる作用をなし、また、保持具の貫通孔（１３）はテーパーがついているので、掻き上げ操作は円滑に行える。まお、装着は煩わしいがねじ部（１１）に代え弾性体のベルトで保持しても良い。
【図面の簡単な説明】
【００４３】
【図１】（ａ）第１の紐状体からなる環状体、（ｂ）第１の紐状体の編み上げ準備、（ｃ）草鞋状の健康履物の編み上げ方法、（ｄ）第１の細長い裁断片の掻き寄せ要領  （ｅ）第１の細長い裁断片の継ぎ足し方法、（ｆ）草鞋状の健康履物底部の仕上げ方法、（ｇ）第１の紐状体の端部処理要領、（ｈ）引き込み具例
【図２】（ａ）取り付け前の鼻緒の構成、（ｂ）鼻緒の取り付け位置決め要領、（ｃ）鼻緒の取り付け要領（表）、（ｄ）鼻緒部の取り付け要領（表）  （ｅ）鼻緒部の取り付け要領（裏）
【図３】（ａ）鼻緒の取り付け、（ｂ）高さ調整具例
【図４】（ａ）５本指で保持できる草鞋状の健康履物の外観図、（ｂ）草鞋状の健康履物の側面図
【図５】５本指で保持できる草鞋状の健康履物の適用例
【図６】（ａ）突起物付き５本指保持草鞋状の健康履物の外観図、（ｂ）突起物付き５本指保持草鞋状の健康履物の側面図、
【図７】（ａ）部分的に素材を異にする５本指保持草鞋状の健康履物の外観図、（ｂ）部分的に素材を異にする５本指保持草鞋状の健康履物の側面図
【図８】２重底部の草鞋状の健康履物の側面図
【図９】保持具使用例
【図１０】保持具の構成例
【符号の説明】
【００４４】１  第１の紐状体
１ａ  第１の紐状体の端部
２  第１の細長い裁断片
２ａ  継ぎたす第１の細長い裁断片
２ｂ  継ぎたす別素材の第１の細長い裁断片
３  草鞋状の健康履物底部
３ａ  第２の草鞋状の健康履物底部
４  鼻緒部
５  鼻緒
５ａ  底部に取り付ける鼻緒
６  鼻緒の本体
７  直方体、球体、楕円体、樽状体、円柱体、円錐体又はこれらの一部の形状を持つ突起
８  高さ調整具
９  保持具
１１  保持具用ねじ部
１２  弾性体からなる蝶番
１３  保持具貫通孔
１４  足裏型紙
Ｄ１  保持具をスライド中の手前の第１の紐状体の直径
Ｄ２  保持具をスライドさせていないときの第１の紐状体の直径
Ｄ３  保持具をスライド中の向こう側の第１の紐状体の直径
Ｌ  左手
Ｒ  右手
【図１】
2007236891.tif 000003
2007236891.tif 000004
2007236891.tif 000005
2007236891.tif 000006
【図２】
2007236891.tif 000007
2007236891.tif 000008
【図３】
2007236891.tif 000009
【図４】
2007236891.tif 000010
【図５】
2007236891.tif 000011
【図６】
2007236891.tif 000012
【図７】
2007236891.tif 000013
【図８】
2007236891.tif 000014
【図９】
2007236891.tif 000015
【図１０】
2007236891.tif 000016
【手続補正書】
【提出日】平成18年5月25日(2006.5.25)
【手続補正１】
【補正対象書類名】明細書
【補正対象項目名】全文
【補正方法】変更
【補正の内容】
【発明の詳細な説明】
【技術分野】
【０００１】  本は発明は、室内での日常生活時に着用する草鞋状の履物であって、複数の足指間に鼻緒をもうけることで、歩行時に足指と足裏のつぼに刺激を与え、足裏と草鞋の相対関係を一定に保ち、併せて指間を清潔に保つことが可能な４本の鼻緒を持つ草鞋状の健康履物とその製造方法及び製造用の保持具に関する。
【背景技術】
【０００２】  特許文献１の第１図及び特許文献２の第２図は、草履に複数の鼻緒を有する事例であり、特許文献３の第４図は、趾保持輪を有する事例であるが、いずれも鼻緒あるいは趾保持輪は底部の最前縁に取り付けていない。特許文献４の第１図は、草鞋の最前縁に鼻緒状のものがついている事例であるが、足指間に挟み込み使用する構造をもたない。このように複数の足指間に鼻緒をもうけた履物はいくつかあるが、鼻緒の取り付け位置が履物の最前縁に複数設け、歩行により足指や足裏に刺激を与える草鞋状の履物の事例はない。【０００３】  特開平９−１１９１０７の表１、図１及び図２によると、足指の他いくつものつぼが示されている。特許文献５の第３図及び第４図の履物は履物上の限られた部位の中から特定の指定部位を固定的に選択できる刺激をあたえることが可能な履物であることを例示するが、足指先端を含め足裏の任意の部位に刺激を与える草鞋の事例ではない。【０００４】
【特許文献１】特開平９−３７８０３
【特許文献２】実公昭１８−１２１６７
【特許文献３】実開昭５８−１８７３０８
【特許文献４】実公昭１１−１１８５
【特許文献５】実開昭４８−９５８３７
【発明の開示】
【発明が解決しようとする課題】
【０００５】  歩くという行為に伴って、足裏に刺激を与え、頭脳や臓器の活性化に役立てる健康履物は多くあるが、足の指先と足裏のいずれにも刺激を与えることは適えられなかった。
【課題を解決するための手段】
【０００６】  歩行により足裏に刺激を与え、併せて足の指先に刺激を与えるために、本質的に凹凸を持つ草鞋状の健康履物の最前部に鼻緒を取り付けることで足指がせり出し、せり出した足指は接地面に接することで足指の先端からと足裏から刺激をえることになるため第１の紐状体と第１の細長い裁断片を用いて編み上げた草鞋状の健康履物の底部前縁に、足の各指間にそれぞれ挟まれる４本の鼻緒をもうけた草鞋状の健康履物とする。【０００７】    鼻緒を全ての足指間に設けることは、足指の先端を接地面に安定に接することを可能とすると共に、足裏と草鞋状の健康履物底部の接する位置関係を一定に保持することとなり、刺激を大きくする突起と足裏の位置関係を安定にすることになるが、このため第２の細長い裁断片からなる４本の鼻緒を予め取り付けた鼻緒部の鼻緒を草鞋状の健康履物の底部前縁に結びつけ、鼻緒部の両端部は草鞋状の健康履物の底部の左右側縁に結びつけて草鞋状の健康履物を作り上げる。【０００８】  また、第２の製造法として、草鞋状の健康履物の底部前縁に第２の細長い裁断片からなる鼻緒を４カ所に予め結びつけておき、鼻緒部の両端部を草鞋状の健康履物の底部の左右側縁に結びつけ、鼻緒を順次鼻緒部に結びつけて草鞋状の健康履物を作り上げる。【０００９】  草鞋状の健康履物が本来持つ凹凸で得られる刺激を更に強くしたいときは、草鞋状の健康履物底部上で刺激を与えたい部位に、単一或いは複数の直方体、球体、楕円体、樽状体、円柱体、円垂体又はこれらの一部の形状を持つ突起物を草鞋状の健康履物底部に結わい付け或いは縫いつけた草鞋状の健康履物とする。【００１０】  草鞋状の健康履物は複数の素材を用いて編み上げることが可能なため、その素材は本来持つ刺激や仕上がったときの配色やデザインを考慮して、第１及び第２の細長い裁断片は、天然繊維、合成繊維、合成樹脂皮膜材、金属細線或いは帯状金属材料からなる特定の感触を与えるか与えない素材で色彩や模様を有する単一或いは複合して裁断或いはよりあわせてなる第１及び第２の細長い裁断片を用いる。【００１１】  草鞋状の健康履物の底部や鼻緒は全体或いは部位に応じて、上述の第１及び第２の細長い裁断片の素材の内から選択し適用して編み上げる或いは鼻緒を結びつける草鞋状の健康履物とする。【００１２】  上述の草鞋状の健康履物は指先から刺激を得るため、草鞋状の健康履物底部から前部に突出しているため足指は建具や物体とのぶつかる可能性があり、ぶつかりで生じる傷や打撲を避けることを目的に、建具や物体とのぶつかりで生じる傷や打撲を避けることができる寸法分長くした第２の草鞋状の健康履物の底部や第２の草鞋状の健康履物の底部と同様な形状をした平板状の底部とを縫合あるいは接着した重ね底部を有する草鞋状の健康履物となす。【００１３】  草鞋状の健康履物挟み込み底部の製作過程で用いる保持具は、指による第１の細長い裁断片を掻き上げに代えるもので、４本の第１の紐状体を保持し、着脱ができ、この保持具を操作しないときは第１の紐状体のどこかの部位に留めておけるよう第１の紐状体の保持孔径が中央部分で狭く外側に向かって広くなる孔構造をもつ保持具とする。
【発明の効果】
【００１４】  健康履物として草鞋の形態を取ると草鞋状の健康履物底部が本質的に凹凸構造を持っているため、編み込む素材を全面或いは一部で選択することで、足裏面の部分に刺激を与えることが可能であるばかりでなく、鼻緒を草鞋状の健康履物底部の最前縁に複数特設することで足指には接地面からの刺激を得ることができる。【００１５】  鼻緒を草鞋状の健康履物底部の最前縁に複数特設することで、草鞋状の健康履物底部と足裏との相対関係を安定させ、草鞋状の健康履物底部上で刺激を与えたい部位に、単一或いは複数の直方体、球体、楕円体、樽状体、円柱体、円垂体又はこれらの一部の形状を持つ突起を結わい付け或いは縫いつけた草鞋状の健康履物から得られる刺激を受ける部位を安定させることができる。【００１６】  鼻緒を草鞋状の健康履物の底部最前縁から足指を突出させることは歩行中建屋や物体にぶつかりにより、指先に傷や打撲を受け危険であるため、底部を重ねて下側の底部を足指保護可能な寸法分前方にせり出す配慮で足指の保護がはかれる。【００１７】  健康履物として草鞋の形態を取ることで、草鞋や鼻緒のサイズや形状が自由に設定することができ、柔軟に個人対応できる。【００１８】  健康履物として草鞋の形態を取り、人手で編み上げる過程で第１の細長い裁断片を寄せ底部の形を整える必要があるが指では力が均等でないため均一に整えにくいが、保持具を用いることで強く均等に力が作用するため底部の成形が容易となる。【００１９】  草鞋状の健康履物底部を成型するとき、保持器を万力で固定すると左右の縦糸を個々に強く引くことができ編み始め部分の成形が容易に、且つ素早く行える。
【実施例１】
【００２０】  以下、本発明の実施例１を図１から図１３、図１６に基づき説明する。【００２１】  健康履物として草鞋の形態をとるので、図１のように第１の紐状体（１）を環状に結び、更に第１の細長い裁断片（２）を第１の紐状体（１）の手元で結び、つぎに図２のように両足親指と左右の手で、第１の紐状体（１）を４本の縦糸状となるよう整える。【００２２】  図３のように、第１の細長い裁断片（２）を第１の紐状体（１）の上、下と交互にくぐらせ１段ごとにて編み上げ、数段編み上げる都度、図４のように第１の細長い裁断片（２）を編み始め方向にかき寄せて形を整えながら草鞋状の健康履物底部（３）を編み上げる。【００２３】  第１の細長い裁断片（２）の素材がとぎれ、新に継ぎたすときは図５に示すように前々段の段階で継ぎたす第１の細長い裁断片（２ａ）は、編み込む第１の細長い裁断片（２）の下に入るようあらかじめ配置しておく。また、逆に新しい継ぎたす第１の細長い裁断片継ぎたす第１の細長い裁断片（２ａ）に引き継いだ第１の細長い裁断片（２）の残りは、図８に例示する引き込み具を用いてすでに編み上げた第１の細長い裁断片（２）の下に入るよう端末処理する。【００２４】  所定の長さの草鞋状の健康履物底部（３）を編み上げたときには、図２右側の手（Ｒ）で支えている部分を図６のように手前に強く引く。【００２５】  第１の紐状体（１）が草鞋状の健康履物底部（３）に引き込まれる直前に編み上げた最後の第１の細長い裁断片（２）の端部を引き込まれる直前の第１の紐状体（１）に数回絡めて第１の紐状体（１）を草鞋状の健康履物底部に引き込む。【００２６】  手前に引き抜かれた第１の紐状体の残部（１ａ）は、図７のように折り返えし織り上げた草鞋状の健康履物底部（３）の接地面に図８に例示する引き込み具を用いて引き込む或いは縫いつける端部処理を行う。【００２７】  鼻緒部（４）は、図９のような第２の細長い裁断片からなる鼻緒（５）を４本準備し、鼻緒の本体部（６）に結わえる。【００２８】  鼻緒（５）は、図１０のようにあらかじめ型取っておいた足裏型紙図（１４）に従い定めた図１１の４カ所に開けた空隙（７）の相互位置により、鼻緒本体上で鼻緒の取り付け位置を微調整し、図１１の空隙（７）を介して草鞋状の健康履物底部（３）の最前縁部で第１の紐状体を周回させるように結びつける。【００２９】  鼻緒部の両端部は草鞋状の健康履物底部の両側部に結びつけ、端部処理を草鞋状の健康履物底部接地面で図１１に従い行い、図１６及び図１７の草鞋状の健康履物を作り上げる。
【実施例２】
【００３０】  以下、本発明の実施例２を図１３から図１７に基づき説明する。【００３１】  鼻緒（５）は、底部上で図１４のように足裏型紙に従い定めた４カ所に開いた空隙（７）を介して草鞋状の健康履物底部（３）の最前縁部の第１の紐状体を周回するように結びつけ、４カ所取り付ける。【００３２】  鼻緒部の両端部を草鞋状の健康履物底部の両側部に結びつけ、端部処理を草鞋状の健康履物底部接地面で図１３に従い行う。【００３３】  図１４のように草鞋状の健康履物底部に取り付けた鼻緒（５）を直上の鼻緒本体部位置に取り付け、順次４本全てに行い、図１６及び図１７の草鞋状の健康履物を作り上げる。なお、このとき図１５に例示する高さ調整具（８）を併用して高さを規制する。
【実施例３】
【００３４】  以下、本発明の実施例３を図１８に基づき説明する。【００３５】  草鞋状の健康履物は、第１の細長い裁断片（２）を編み込むために草鞋状の健康履物底部には本質的に凹凸をもち、第１の細長い裁断片（２）の素材を選ぶことで足裏に刺激をもたらす。しかし、積極的に刺激を与えるために、所望の部位に単一又は複数の直方体、球体、楕円体、樽状体、円柱体、円錐体又はこれらの一部の形状を持つ突起（８）を結わい付け或いは縫いつけ図１８のように草鞋状の健康履物には凸部を作る。
【実施例４】
【００３６】  以下、本発明の実施例４を図５及び図１９に基づき説明する。【００３７】  実施例１での図５の例のように第１の細長い裁断片（２）で素材をつぎたすことの例にならい、第１の細長い裁断片（２）を目的に適合する素材を代え、継ぎたす別素材の第１の細長い裁断片（２ｂ）とすることで、図１９のように足裏への刺激を変える部位を設ける。
【実施例５】
【００３８】  以下、本発明の実施例５を図１７、図２０に基づき説明する。【００３９】  実施例５で本発明の実施例を示すが、図１７から明らかなように、草鞋状の健康履物の前方に足指がある。このため歩行の際、足指は建具や物体とのぶつかる可能性があり、実施例１で作る草鞋状の健康履物底部の前方を指先が保護可能な第２の草鞋状の健康履物底部や同様な形状の平板と縫合或いは接着し、図２０に示すような底部を重ねることで、足指先や足裏からの刺激や感触は変わらず危険を回避できる草鞋状の健康履物とすることができる。
【実施例６】
【００４０】  以下、本発明の実施例６を図２１、図２２に基づき説明する。【００３８】  実施例６で本発明の実施例を示すが、実施例１は図４のように編み上げた草鞋状の健康履物の第１細い裁断片（２）を掻き寄せるのは手の指によることを想定している。しかし、指の力は均一ではないため全体を整えるには、各指間の違いの手直しが必要となり、この手直しを軽減すべく図２２の保持具を用いる。【００３９】  保持具（９）は、第１の紐状体（１）を適切に保持すると共に、第１の紐状体（１）の上を滑らし数段編み上げた都度第１の細長い裁断片（２）を掻き寄せる操作を容易に行うために第１の紐状体（１）の太さの変化に適合する構造をとる。【００４０】  保持具（９）の取り付けは、ねじ部（１１）をゆるめ、保持具（９）の長さ方向に押し出すことで、保持具は弾性体からなる蝶番（１２）で開くので、第１の紐状体（１）を挟み込みねじ部（１１）で着脱でき、容易にずれないよう締め付け適用することを可能とする。【００４１】図２３に示す第１の紐状体（１）は、保持具（９）を移動させる際の保持具の前後の太さＤ１とＤ３（Ｄ１＞Ｄ３）、保持具を移動させないときの太さＤ２と、３種類の太さの状態Ｄ１＞Ｄ２＞Ｄ３があるが、第１の細長い裁断片（２）を編んでいる最中に保持具がずれるのであれば具合がわるいので、Ｄ２の状態でずれないようねじ部（１１）で固定する。【００４２】    第１の細長い裁断片（２）を掻き寄せるときは、Ｄ１を保持具に取り込みＤ３の太さをはき出す。ねじ部（１１）にはバネ機構があり、またねじ部（１１）の反対側は弾性体からなる蝶番（１２）が取り付けられているので、力が作用するとねじ部（１１）と弾性体からなる蝶番（１２）が保持具の孔径を広げる作用をなし、また、保持具の貫通孔（１３）はテーパーがついているので、掻き上げ操作は円滑に行える。まお、装着は煩わしいがねじ部（１１）に代え弾性体のベルトで保持しても良い。
【図面の簡単な説明】
【００４３】
【図１】第１の紐状体からなる環状体
【図２】第１の紐状体の編み上げ準備
【図３】草鞋状の健康履物の編み上げ方法
【図４】第１の細長い裁断片の掻き寄せ要領
【図５】第１の細長い裁断片の継ぎ足し方法
【図６】草鞋状の健康履物底部の仕上げ方法
【図７】第１の紐状体の端部処理要領
【図８】引き込み具例
【図９】取り付け前の鼻緒の構成
【図１０】鼻緒の取り付け位置決め要領
【図１１】鼻緒の取り付け要領（表）
【図１２】鼻緒部の取り付け要領（表）
【図１３】鼻緒部の取り付け要領（裏）
【図１４】鼻緒の取り付け
【図１５】高さ調整具例
【図１６】５本指で保持できる草鞋状の健康履物の外観図
【図１７】５本指で保持できる草鞋状の健康履物の適用例
【図１８】突起物付き５本指保持草鞋状の健康履物の側面図
【図１９】部分的に素材を異にする５本指保持草鞋状の健康履物の外観図
【図２０】２重底部の草鞋状の健康履物の側面図
【図２１】保持具使用例
【図２２】保持具の構成例
【符号の説明】
【００４４】１  第１の紐状体
１ａ  第１の紐状体の端部
２  第１の細長い裁断片
２ａ  継ぎたす第１の細長い裁断片
２ｂ  継ぎたす別素材の第１の細長い裁断片
３  草鞋状の健康履物底部
３ａ  第２の草鞋状の健康履物底部
４  鼻緒部
５  鼻緒
５ａ  底部に取り付ける鼻緒
６  鼻緒の本体
７  直方体、球体、楕円体、樽状体、円柱体、円錐体又はこれらの一部の形状を持つ突起
８  高さ調整具
９  保持具
１１  保持具用ねじ部
１２  弾性体からなる蝶番
１３  保持具貫通孔
１４  足裏型紙
１５  型紙上に示す鼻緒取付位置
１６  型紙上に示す鼻緒両端部の取付位置
Ｄ１  保持具をスライド中の手前の第１の紐状体の直径
Ｄ２  保持具をスライドさせていないときの第１の紐状体の直径
Ｄ３  保持具をスライド中の向こう側の第１の紐状体の直径
Ｌ  左手
Ｒ  右手
【手続補正３】
【補正対象書類名】図面
【補正対象項目名】全図
【補正方法】変更
【補正の内容】
【図１】
2007236891.tif 000017
【図２】
2007236891.tif 000018
【図３】
2007236891.tif 000019
【図４】
2007236891.tif 000020
【図５】
2007236891.tif 000021
【図６】
2007236891.tif 000022
【図７】
2007236891.tif 000023
【図８】
2007236891.tif 000024
【図９】
2007236891.tif 000025
【図１０】
2007236891.tif 000026
【図１１】
2007236891.tif 000027
【図１２】
2007236891.tif 000028
【図１３】
2007236891.tif 000029
【図１４】
2007236891.tif 000030
【図１５】
2007236891.tif 000031
【図１６】
2007236891.tif 000032
【図１７】
2007236891.tif 000033
【図１８】
2007236891.tif 000034
【図１９】
2007236891.tif 000035
【図２０】
2007236891.tif 000036
【図２１】
2007236891.tif 000037
【図２２】
2007236891.tif 000038